(57)【特許請求の範囲】
【請求項１】
互いに対向する一対の信号用端子電極と、前記一対の信号用端子電極が互いに対向する方向に直交する方向で互いに対向する一対の接地用端子電極と、を有する電子部品が実装される実装用基板であって、
前記電子部品が実装される実装領域を有する基板本体と、
前記実装領域に配置され、前記一対の信号用端子電極と対向すると共に接続される一対の第一電極と、
前記実装領域に配置され、前記一対の接地用端子電極と対向すると共に接続される一対の第二電極と、を備え、
前記実装領域は、内側領域と、前記内側領域を取り囲む外側領域とを有し、
前記一対の第一電極は、前記実装領域に直交する方向から見て、前記内側領域を挟んで互いに対向するように前記外側領域に配置されており、
前記一対の第二電極は、前記実装領域に直交する方向から見て、前記一対の第一電極が互いに対向する第一方向に直交する第二方向で前記内側領域を挟んで互いに対向するように前記外側領域に配置されており、
前記一対の第一電極間の距離は、前記一対の第二電極間の距離よりも長く、
前記一対の第一電極のそれぞれは、第一電極部分と、前記第一電極部分よりも前記内側領域側に配置された第二電極部分と、を含み、
前記一対の第二電極のそれぞれは、第三電極部分と、前記第三電極部分よりも前記内側領域側に配置された第四電極部分と、を含み、
前記第二電極部分の前記第二方向の長さは、前記第一電極部分の前記第二方向の長さよりも短く、
前記第二電極部分の前記第一方向の長さは、前記一対の第一電極と前記一対の第二電極との間の前記第一方向の距離よりも短い、電子部品の実装用基板。
【請求項２】
前記第四電極部分の前記第一方向の長さは、前記第三電極部分の前記第一方向の長さよりも短い、請求項１記載の電子部品の実装用基板。
【請求項３】
前記第二電極部分は、前記第二方向の長さが前記内側領域から離れるにつれて広がるように傾斜するテーパ形状を呈している、請求項１又は２記載の電子部品の実装用基板。
【請求項４】
互いに対向する一対の信号用端子電極と、前記一対の信号用端子電極が互いに対向する方向に直交する方向で互いに対向する一対の接地用端子電極と、を有する電子部品が実装される実装用基板であって、
前記電子部品が実装される実装領域を有する基板本体と、
前記実装領域に配置され、前記一対の信号用端子電極と対向すると共に接続される一対の第一電極と、
前記実装領域に配置され、前記一対の接地用端子電極と対向すると共に接続される一対の第二電極と、を備え、
前記実装領域は、内側領域と、前記内側領域を取り囲む外側領域とを有し、
前記一対の第一電極は、前記実装領域に直交する方向から見て、前記内側領域を挟んで互いに対向するように前記外側領域に配置されており、
前記一対の第二電極は、前記実装領域に直交する方向から見て、前記一対の第一電極が互いに対向する第一方向に直交する第二方向で前記内側領域を挟んで互いに対向するように前記外側領域に配置されており、
前記一対の第一電極間の距離は、前記一対の第二電極間の距離よりも長く、
前記一対の第一電極のそれぞれは、第一電極部分と、前記第一電極部分よりも前記内側領域側に配置された第二電極部分と、を含み、
前記一対の第二電極のそれぞれは、第三電極部分と、前記第三電極部分よりも前記内側領域側に配置された第四電極部分と、を含み、
前記第四電極部分の前記第一方向の長さは、前記第三電極部分の前記第一方向の長さよりも短く、
前記第二電極部分の前記第一方向の長さは、前記一対の第一電極と前記一対の第二電極との間の前記第一方向の距離よりも短い、電子部品の実装用基板。
【請求項５】
前記第四電極部分は、前記第一方向の長さが前記内側領域から離れるにつれて広がるように傾斜するテーパ形状を呈している、請求項４記載の電子部品の実装用基板。
【請求項６】
請求項１〜５のいずれか一項記載の電子部品の実装用基板と、
前記実装用基板に実装された前記電子部品と、を備え、
前記電子部品は、前記実装領域と対向する対向面を有し、
前記一対の信号用端子電極と前記一対の接地用端子電極とは、前記対向面に配置されており、
前記一対の第一電極は、前記対向面における前記一対の信号用端子電極と対向すると共に接続されており、
前記一対の第二電極は、前記対向面における前記一対の接地用端子電極と対向すると共に接続されている、電子部品の実装構造。
【請求項７】
前記第一電極部分の前記第二方向の長さは、前記対向面における前記一対の信号用端子電極のそれぞれの前記第二方向の長さよりも短く、
前記第三電極部分の前記第一方向の長さは、前記対向面における前記一対の接地用端子電極のそれぞれの前記第一方向の長さよりも短い、請求項６記載の電子部品の実装構造。
【請求項８】
前記対向面における前記一対の信号用端子電極の前記第一方向の長さは、前記一対の第一電極と前記一対の第二電極との間の前記第一方向の距離よりも短い、請求項６又は７記載の電子部品の実装構造。
【請求項９】
前記第一電極部分の前記第二方向の長さは、前記第三電極部分の前記第一方向の長さと同等であり、
前記対向面における前記一対の信号用端子電極の前記第二方向の長さは、前記対向面における前記一対の接地用端子電極の前記第一方向の長さと同等である、請求項６〜８のいずれか一項記載の電子部品の実装構造。
【発明の詳細な説明】
【技術分野】
【０００１】
本発明は、電子部品の実装用基板及び実装構造に関する。
【背景技術】
【０００２】
特許文献１には、積層コンデンサと、積層コンデンサが実装面上に実装された基板と、を備える積層コンデンサの実装構造体が記載されている。この積層コンデンサの実装構造体では、基板の実装面上に第１〜第４のパッドが設けられている。積層コンデンサの外部電極がこれらのパッドに接合されることにより、積層コンデンサが基板に実装されている。
【先行技術文献】
【特許文献】
【０００３】
【特許文献１】特開２０１５−９２５３６号公報
【発明の概要】
【発明が解決しようとする課題】
【０００４】
特許文献１に記載されるような電子部品の実装構造では、電極間の短絡を抑制しながら、実装強度を向上させることが望まれている。
【０００５】
本発明は、電極間の短絡を抑制しながら、実装強度を向上させることが可能な電子部品の実装用基板及び実装構造を提供することを目的とする。
【課題を解決するための手段】
【０００６】
本発明は、互いに対向する一対の信号用端子電極と、一対の信号用端子電極が互いに対向する方向に直交する方向で互いに対向する一対の接地用端子電極と、を有する電子部品が実装される実装用基板であって、電子部品が実装される実装領域を有する基板本体と、実装領域に配置され、一対の信号用端子電極と対向すると共に接続される一対の第一電極と、実装領域に配置され、一対の接地用端子電極と対向すると共に接続される一対の第二電極と、を備え、実装領域は、内側領域と、内側領域を取り囲む外側領域とを有し、一対の第一電極は、実装領域に直交する方向から見て、内側領域を挟んで互いに対向するように外側領域に配置されており、一対の第二電極は、実装領域に直交する方向から見て、一対の第一電極が互いに対向する第一方向に直交する第二方向で内側領域を挟んで互いに対向するように外側領域に配置されており、一対の第一電極間の距離は、一対の第二電極間の距離よりも長く、一対の第一電極のそれぞれは、第一電極部分と、第一電極部分よりも内側領域側に配置された第二電極部分と、を含み、一対の第二電極のそれぞれは、第三電極部分と、第三電極部分よりも内側領域側に配置された第四電極部分と、を含み、第二電極部分の第二方向の長さは、第一電極部分の第二方向の長さよりも短い。
【０００７】
本発明では、電子部品が実装される実装領域のうち、外側領域に一対の第一電極及び一対の第二電極が配置されている。一対の第一電極は、内側領域を挟んで第一方向で対向し、一対の第二電極は、内側領域を挟んで第二方向で対向している。第一電極のうち、内側領域側に配置され、第二電極に近い第二電極部分の第二方向の長さが、第二電極から遠い第一電極部分の第二方向の長さよりも短い。これにより、第二電極部分の第二方向の長さが、第一電極部分の第二方向の長さと同等である場合と比べて、一対の第一電極と一対の第二電極との間の距離を保ったまま、一対の第一電極間の距離及び一対の第二電極間の距離を短くすることができる。したがって、電極間の短絡を抑制しながら、実装強度を向上させることが可能となる。更に、一対の第一電極間の距離は、一対の第二電極間の距離よりも長い。これにより、特に一対の第一電極間の短絡を抑制することができるので、一対の第一電極に接続される一対の信号用端子電極間の短絡を抑制することができる。
【０００８】
第四電極部分の第一方向の長さは、第三電極部分の第一方向の長さよりも短くてもよい。この場合、第四電極部分の第一方向の長さが、第三電極部分の第一方向の長さと同等である場合と比べて、一対の第一電極と一対の第二電極との間の距離を保ったまま、一対の第一電極間の距離及び一対の第二電極間の距離を更に短くすることができる。したがって、電極間の短絡を抑制しながら、更に実装強度を向上させることが可能となる。
【０００９】
第二電極部分は、第二方向の長さが内側領域から離れるにつれて広がるように傾斜するテーパ形状を呈していてもよい。この場合、第二電極部分において第二電極と近接する領域は、テーパ形状による傾斜した領域となる。したがって、第二電極部分がテーパ形状を呈していない場合と比べて、第二電極部分において第二電極と近接する領域の幅が広い。これにより、第二電極部分において電界が狭い領域に集中することを抑制することができる。
【００１０】
本発明は、互いに対向する一対の信号用端子電極と、一対の信号用端子電極が互いに対向する方向に直交する方向で互いに対向する一対の接地用端子電極と、を有する電子部品が実装される実装用基板であって、電子部品が実装される実装領域を有する基板本体と、実装領域に配置され、一対の信号用端子電極と対向すると共に接続される一対の第一電極と、実装領域に配置され、一対の接地用端子電極と対向すると共に接続される一対の第二電極と、を備え、実装領域は、内側領域と、内側領域を取り囲む外側領域とを有し、一対の第一電極は、実装領域に直交する方向から見て、内側領域を挟んで互いに対向するように外側領域に配置されており、一対の第二電極は、実装領域に直交する方向から見て、一対の第一電極が互いに対向する第一方向に直交する第二方向で内側領域を挟んで互いに対向するように外側領域に配置されており、一対の第一電極間の距離は、一対の第二電極間の距離よりも長く、一対の第一電極のそれぞれは、第一電極部分と、第一電極部分よりも内側領域側に配置された第二電極部分と、を含み、一対の第二電極のそれぞれは、第三電極部分と、第三電極部分よりも内側領域側に配置された第四電極部分と、を含み、第四電極部分の第一方向の長さは、第三電極部分の第一方向の長さよりも短い。
【００１１】
本発明では、電子部品が実装される実装領域のうち、外側領域に一対の第一電極及び一対の第二電極が配置されている。一対の第一電極は内側領域を挟んで、第一方向で対向し、一対の第二電極は、内側領域を挟んで第二方向で対向している。第二電極のうち、内側領域側に配置され、第一電極に近い第四電極部分の第一方向の長さが、第一電極から遠い第三電極部分の第一方向の長さよりも短い。これにより、第四電極部分の第一方向の長さが、第三電極部分の第一方向の長さと同等である場合と比べて、一対の第一電極と一対の第二電極との間の距離を保ったまま、一対の第一電極間の距離及び一対の第二電極間の距離を短くすることができる。したがって、電極間の短絡を抑制しながら、実装強度を向上させることが可能となる。更に、一対の第一電極間の距離は、一対の第二電極間の距離よりも長い。これにより、特に一対の第一電極間の短絡を抑制することができるので、一対の第一電極に接続される一対の信号用端子電極間の短絡を抑制することができる。
【００１２】
第四電極部分は、第一方向の長さが内側領域から離れるにつれて広がるように傾斜するテーパ形状を呈していてもよい。この場合、第四電極部分において第一電極と近接する領域は、テーパ形状による傾斜した領域となる。したがって、第四電極部分がテーパ形状を呈していない場合と比べて、第四電極部分において第一電極と近接する領域の幅が広い。これにより、第四電極部分において電界が狭い領域に集中することを抑制することができる。
【００１３】
本発明に係る電子部品の実装構造は、上記電子部品の実装用基板と、実装用基板に実装された電子部品と、を備え、電子部品は、実装領域と対向する対向面を有し、一対の信号用端子電極と一対の接地用端子電極とは、対向面に配置されており、一対の第一電極は、対向面における一対の信号用端子電極と対向すると共に接続されており、一対の第二電極は、対向面における一対の接地用端子電極と対向すると共に接続されている。
【００１４】
本発明に係る電子部品の実装構造では、上記電子部品の実装用基板を備えているので、電極間の短絡を抑制しながら、実装強度を向上させることが可能となる。
【００１５】
第一電極部分の第二方向の長さは、対向面における一対の信号用端子電極のそれぞれの第二方向の長さよりも短く、第三電極部分の第一方向の長さは、対向面における一対の接地用端子電極のそれぞれの第一方向の長さよりも短くてもよい。この場合、電子部品がずれて実装されても、一対の第一電極と対向面における一対の信号用端子電極との接続部分の第二方向の長さは、一対の第一電極の第二方向の長さに維持される。また、一対の第二電極と一対の接地用端子電極との接続部分の第一方向の長さは、一対の第二電極の第一方向の長さに維持される。これにより、実装強度を安定させることが可能となる。
【００１６】
対向面における一対の信号用端子電極の第一方向の長さは、一対の第一電極と一対の第二電極との間の第一方向の距離よりも短くてもよい。この場合、対向面における一対の信号用端子電極の第一方向の長さが、一対の第一電極と一対の第二電極との間の第一方向の距離以上である場合と比べて、対向面における信号用端子電極が、第一電極と第二電極とに第一方向に跨って実装され難い。このため、電子部品がずれて実装されても、第一電極と第二電極との間の短絡を抑制することが可能となる。
【００１７】
対向面における一対の接地用端子電極の第二方向の長さは、一対の第一電極と一対の第二電極との間の第二方向の距離よりも短くてもよい。この場合、対向面における一対の接地用端子電極の第二方向の長さが、一対の第一電極と一対の第二電極との間の第二方向の距離以上である場合と比べて、対向面における接地用端子電極が、第一電極と第二電極とに第二方向に跨って実装され難い。このため、電子部品がずれて実装されても、第一電極と第二電極との間の短絡を抑制することが可能となる。
【００１８】
第一電極部分の第二方向の長さは、第三電極部分の第一方向の長さと同等であり、対向面における一対の信号用端子電極の第二方向の長さは、対向面における一対の接地用端子電極の第一方向の長さと同等であってもよい。この場合、第一方向の応力に対する実装強度と第二方向の応力に対する実装強度とを、バランスよく向上させることができる。
【発明の効果】
【００１９】
本発明によれば、電極間の短絡を抑制しながら、実装強度を向上させることが可能な電子部品の実装用基板及び実装構造を提供することができる。
【図面の簡単な説明】
【００２０】
【図１】実施形態に係る電子部品の実装構造を示す斜視図である。
【図２】図１に示される電子部品の実装構造を示す平面図である。
【図３】図１に示される電子部品を第三方向から見た平面図である。
【図４】図３におけるIV-IV線に沿う断面図である。
【図５】図４におけるV-V線に沿う断面図である。
【図６】図４におけるVI-VI線に沿う断面図である。
【発明を実施するための形態】
【００２１】
以下、添付図面を参照して、本発明の実施形態について詳細に説明する。なお、説明において、同一要素又は同一機能を有する要素には、同一符号を用いることとし、重複する説明は省略する。
【００２２】
図１は、実施形態に係る電子部品の実装構造を示す斜視図である。図２は、図１に示される実施形態に係る電子部品の実装構造を示す平面図である。図１及び図２に示されるように、実装構造１は、実装用基板Ｓと、電子部品Ｃと、を備えている。なお、図２では、電子部品Ｃの外形が点線で示されている。
【００２３】
実装用基板Ｓは、基板本体１０と、一対の第一電極２と、一対の第二電極４と、を備えている。基板本体１０は、一対の主面１０ａを有している。基板本体１０は、実装領域Ｒを一方の主面１０ａの一部領域として有している。基板本体１０は、例えば、樹脂基板により構成されてもよいし、ガラスエポキシ基板等のフィラーを含む樹脂基板により構成されていてもよい。基板本体１０の種類は特に限定されない。
【００２４】
実装領域Ｒは、電子部品Ｃが実装される領域である。より詳細には、実装領域Ｒは、電子部品Ｃと対向し、且つ電子部品Ｃが実装されることが予定される領域である。実装領域Ｒは、略長方形状を呈している。実装領域Ｒの長辺方向の長さＬ１は、例えば、０．８５ｍｍである。実装領域Ｒの短辺方向の長さＬ２は、例えば、０．７０ｍｍである。
【００２５】
実装領域Ｒは、内側領域Ｒ１と、外側領域Ｒ２とを有している。内側領域Ｒ１は、略長方形状を呈している。外側領域Ｒ２は、内側領域Ｒ１を取り囲み、略長方形環状を呈している。内側領域Ｒ１の外縁と外側領域Ｒ２の内縁とは、互いに一致している。実装領域Ｒの長辺方向と内側領域Ｒ１の長辺方向とは、互いに一致している。ここでは、内側領域Ｒ１の全体と、外側領域Ｒ２の内縁部とは、電子部品Ｃにより覆われている。
【００２６】
一対の第一電極２及び一対の第二電極４は、実装領域Ｒに配置され、それぞれ互いに離間している。一対の第一電極２は、互いに対向している。一対の第一電極２が互いに対向する方向が第一方向Ｄ１である。一対の第二電極４は、互いに対向している。一対の第二電極４が互いに対向する方向が第二方向Ｄ２である。第一方向Ｄ１と第二方向Ｄ２とは直交している。一対の第一電極２及び一対の第二電極４は、内側領域Ｒ１の周りに放射状に配置されている。
【００２７】
一対の第一電極２は、後で説明する一対の信号用端子電極６と対向すると共に接続されている。一対の第一電極２と一対の信号用端子電極６とは、例えば、はんだ９により接続されている。一対の第一電極２は、実装領域Ｒに直交する方向から見て、内側領域Ｒ１を挟んで第一方向Ｄ１で互いに対向するように外側領域Ｒ２に配置されている。実装領域Ｒに直交する方向が第三方向Ｄ３である。第三方向Ｄ３は、第一方向Ｄ１及び第二方向Ｄ２のそれぞれと直交している。一対の第一電極２は、その全体が外側領域Ｒ２に配置されている。一対の第一電極２間の距離Ｌ３は、例えば、０．３５ｍｍである。一対の第一電極２の内側領域Ｒ１と反対側の端は、実装領域Ｒの第一方向Ｄ１の両端を規定している。
【００２８】
一対の第二電極４は、後で説明する一対の接地用端子電極８（図３参照）と対向すると共に接続されている。一対の第二電極４と一対の接地用端子電極８とは、例えば、はんだ９により接続されている。一対の第二電極４は、第三方向Ｄ３から見て、内側領域Ｒ１を挟んで第二方向Ｄ２で互いに対向するように外側領域Ｒ２に配置されている。一対の第二電極４は、その全体が外側領域Ｒ２に配置されている。一対の第二電極４間の距離Ｌ４は、例えば、０．２０ｍｍである。距離Ｌ３は、距離Ｌ４よりも長い。一対の第二電極４の内側領域Ｒ１と反対側の端は、実装領域Ｒの第二方向Ｄ２の両端を規定している。
【００２９】
第一電極２は、電極部分２１，２２を有している。電極部分２２は、電極部分２１よりも内側領域Ｒ１側に配置されている。電極部分２２は、第一電極２の内側領域Ｒ１側の端部を構成している。電極部分２１は、第一電極２の内側領域Ｒ１と反対側の端部を構成している。一対の電極部分２２は、第二方向Ｄ２から見て、互いに直接対向している。なお、直接対向しているとは、間に他の部材を挟まず、空間を介して対向しているという意味である。一対の電極部分２１は、第二方向Ｄ２から見て、一対の電極部分２２を介して、互いに対向している。
【００３０】
電極部分２１，２２は、第一方向Ｄ１に並んで一体的に形成されている。電極部分２１は、第一方向Ｄ１を長辺方向とする略長方形状を呈している。電極部分２１の第一方向Ｄ１の長さＬ５は、例えば、０．２０ｍｍである。また、電極部分２１の第二方向Ｄ２の長さＬ６は、例えば、０．１５ｍｍである。
【００３１】
電極部分２２は、第二方向Ｄ２の長さが内側領域Ｒ１から離れるにつれて広がるように傾斜するテーパ形状を呈している。電極部分２２の第二方向Ｄ２の長さは、長さＬ６よりも短い。電極部分２２の第二方向Ｄ２の長さは、電極部分２２の内側領域Ｒ１側の端２２ａで最も短い。端２２ａの第二方向Ｄ２の長さＬ７は、例えば、０．０３ｍｍである。電極部分２２の第一方向Ｄ１の長さ（電極部分２１と端２２ａとの間の距離）Ｌ８は、例えば、０．０５ｍｍである。
【００３２】
第二電極４は、電極部分４１，４２を有している。電極部分４２は、電極部分４１よりも内側領域Ｒ１側に配置されている。電極部分４２は、第二電極４の内側領域Ｒ１側の端部を構成している。電極部分４１は、第二電極４の内側領域Ｒ１と反対側の端部を構成している。一対の電極部分４２は、第一方向Ｄ１から見て、互いに直接対向している。一対の電極部分４１は、第一方向Ｄ１から見て、一対の電極部分４２を介して、互いに対向している。
【００３３】
電極部分４１，４２は、第二方向Ｄ２に並んで一体的に形成されている。電極部分４１は、第二方向Ｄ２を長辺方向とする略長方形状を呈している。電極部分４１の第二方向Ｄ２の長さＬ９は、例えば、０．２０ｍｍである。また、電極部分４１の第一方向Ｄ１の長さＬ１０は、例えば、０．２０ｍｍである。
【００３４】
電極部分４２は、第一方向Ｄ１の長さが内側領域Ｒ１から離れるにつれて広がるように傾斜するテーパ形状を呈している。電極部分４２の第一方向Ｄ１の長さは、長さＬ１０よりも短い。電極部分４２の第一方向Ｄ１の長さは、電極部分４２の内側領域Ｒ１側の端４２ａで最も短い。端４２ａの第一方向Ｄ１の長さＬ１１は、例えば、０．１０ｍｍである。電極部分４２の第二方向Ｄ２の長さ（電極部分４１と端４２ａとの間の距離）Ｌ１２は、例えば、０．０５ｍｍである。
【００３５】
第一電極２と第二電極４との間の第一方向Ｄ１の距離Ｌ１３は、例えば、０．０７５ｍｍである。第一電極２と第二電極４との間の第二方向Ｄ２の距離Ｌ１４は、例えば、０．０２５ｍｍである。第一電極２と第二電極４との間の最短距離は、例えば、０．１５ｍｍである。
【００３６】
電極部分２２の全体は、後で説明する信号用端子電極６と対向すると共に接続されている。電極部分２１の電極部分２２側の部分は、信号用端子電極６と対向すると共に接続されている。一対の信号用端子電極６と接続されている一対の電極部分２１の面積は、互いに同等である。また、電極部分４２の全体は、後で説明する接地用端子電極８と対向すると共に接続されている。電極部分４１の電極部分４２側の部分は、接地用端子電極８と対向すると共に接続されている。一対の接地用端子電極８と接続されている一対の電極部分４１の面積は、互いに同等である。
【００３７】
このように、一対の信号用端子電極６と対向すると共に接続されている一対の電極部分２１の面積が互いに同等となるとともに、一対の接地用端子電極８と対向すると共に接続されている一対の電極部分４１の面積が互いに同等となる位置が、実装領域Ｒにおける電子部品Ｃの正しい実装位置である。なお、同等とは、等しいことに加えて、予め設定した範囲での誤差又は製造誤差等を含んだ値を同等としてよい。例えば、複数の値が、当該複数の値の平均値の±５％の範囲内に含まれているのであれば、当該複数の値は同等であると規定する。
【００３８】
図３は、図１に示される電子部品を第三方向から見た平面図である。図１及び図３に示されるように、電子部品Ｃは、例えば、積層貫通コンデンサである。電子部品Ｃは、素体５と、一対の信号用端子電極６と、一対の接地用端子電極８と、を備えている。一対の信号用端子電極６及び一対の接地用端子電極８は、それぞれ互いに離間している。
【００３９】
素体５は、直方体形状を呈している。直方体形状には、角部及び稜線部が面取りされている直方体の形状、及び、角部及び稜線部が丸められている直方体の形状が含まれる。素体５の第一方向Ｄ１の長さＬ２１は、実装領域Ｒの第一方向Ｄ１の長さＬ１よりも短く、例えば、０．６５ｍｍである。素体５の第二方向Ｄ２の長さＬ２２は、実装領域Ｒの第二方向Ｄ２の長さＬ２よりも短く、例えば、０．５０ｍｍである。素体５の第三方向Ｄ３の長さＬ２３は、例えば、０．４０ｍｍである。
【００４０】
素体５は、その外表面として、一対の主面５ａと、一対の第一側面５ｂと、一対の第二側面５ｃと、を有している。一対の主面５ａは、第三方向Ｄ３で互いに対向している。一対の第一側面５ｂは、第一方向Ｄ１で互いに対向している。一対の第二側面５ｃは、第二方向Ｄ２で互いに対向している。
【００４１】
一対の主面５ａは、長辺方向が第一方向Ｄ１である略長方形状を呈している。一対の主面５ａは、一対の第一側面５ｂを連結するように第一方向Ｄ１に延びている。一対の主面５ａは、一対の第二側面５ｃを連結するように第二方向Ｄ２に延びている。一方の主面５ａは、電子部品Ｃが実装用基板Ｓに実装される際に、実装領域Ｒと対向する対向面（被実装面）である。
【００４２】
一対の第一側面５ｂは、長辺方向が第二方向Ｄ２である略長方形状を呈している。一対の第一側面５ｂは、一対の主面５ａを連結するように第三方向Ｄ３に延びている。一対の第一側面５ｂは、一対の第二側面５ｃを連結するように第二方向Ｄ２に延びている。一対の第二側面５ｃは、長辺方向が第一方向Ｄ１である略長方形状を呈している。一対の第二側面５ｃは、一対の主面５ａを連結するように第三方向Ｄ３に延びている。一対の第二側面５ｃは、一対の第一側面５ｂを連結するように第一方向Ｄ１に延びている。
【００４３】
素体５は、第三方向Ｄ３に複数の誘電体層が積層されて構成されている。各誘電体層は、例えば、ＢａＴｉＯ３、ＣａＴｉＯ３、ＳｒＴｉＯ３、ＣａＺｒＯ３等の誘電体セラミックを含むセラミックグリーンシートの焼結体から構成されている。実際の素体５では、各誘電体層は、各誘電体層の間の境界が視認できない程度に一体化されている。
【００４４】
各信号用端子電極６は、電極部分６１と、一対の電極部分６２とを有している。電極部分６１は、第一側面５ｂ上に配置されている。電極部分６１は、第一側面５ｂの第一方向Ｄ１の中央部分を覆うように配置されている。電極部分６１は、第一方向Ｄ１から見て、第三方向Ｄ３を長手方向とする略長方形状を呈している。電極部分６１の第二方向Ｄ２の長さＬ２４は、電極部分２１の第二方向Ｄ２の長さＬ６よりも長く、例えば、０．２５ｍｍである。電極部分６１の第三方向Ｄ３の長さは、長さＬ２３と同等である。
【００４５】
一対の電極部分６２は、一対の主面５ａの第二方向Ｄ２の中央部分、且つ第一側面５ｂ側の縁部に配置されている。電極部分６１の第三方向Ｄ３の両端部は、一対の電極部分６２の第一側面５ｂ側の端部に接続されている。一対の電極部分６２は、第一側面５ｂと反対側の端部に、第二方向Ｄ２の長さが第一側面５ｂから離れるにつれて短くなるように傾斜するテーパ形状を呈する部分を有している。一対の電極部分６２の第二方向Ｄ２の長さ（ここでは、最大長さ）は、長さＬ２４と同等である。一対の電極部分６２の第一方向Ｄ１の長さＬ２５（ここでは、最大長さ）は、第一電極２と第二電極４との間の第一方向Ｄ１の距離Ｌ１３よりも短く、例えば、０．０５ｍｍである。
【００４６】
各接地用端子電極８は、電極部分８１と、一対の電極部分８２とを有している。電極部分８１は、第二側面５ｃ上に配置されている。電極部分８１は、第二側面５ｃの第一方向Ｄ１の中央部分を覆うように配置されている。電極部分８１は、第二方向Ｄ２から見て、第三方向Ｄ３を長手方向とする略長方形状を呈している。電極部分８１の第一方向Ｄ１の長さＬ２６は、電極部分４１の第一方向Ｄ１の長さＬ１０よりも長く、例えば、０．３０ｍｍである。電極部分８１の第三方向Ｄ３の長さは、長さＬ２３と同等である。一対の電極部分８２の第二方向Ｄ２の長さＬ２７（ここでは、最大長さ）は、例えば、０．０５ｍｍである。
【００４７】
一対の電極部分８２は、一対の主面５ａの第一方向Ｄ１の中央部分、且つ第二側面５ｃ側の縁部に配置されている。電極部分８１の第三方向Ｄ３の両端部は、一対の電極部分８２の第二側面５ｃ側の端部に接続されている。一対の電極部分８２は、第二側面５ｃと反対側の端部に、第一方向Ｄ１の長さが第二側面５ｃから離れるにつれて短くなるように傾斜するテーパ形状を呈する部分を有している。一対の電極部分８２の第一方向Ｄ１の長さ（ここでは、最大長さ）は、長さＬ２６と同等である。
【００４８】
上述の対向面（一方の主面５ａ）には、一対の電極部分６２（一方の信号用端子電極６における一方の電極部分６２、及び他方の信号用端子電極６における一方の電極部分６２）が第一方向Ｄ１で互いに対向して配置され、一対の電極部分８２（一方の接地用端子電極８における一方の電極部分８２、及び他方の接地用端子電極８の一方の電極部分８２）が第二方向Ｄ２で互いに対向して配置されている。
【００４９】
図４は、図３におけるIV-IV線に沿う断面図である。図４に示されるように、電子部品Ｃは、複数の信号用内部電極１１と、複数の接地用内部電極１２と、を有している。信号用内部電極１１と接地用内部電極１２とは、素体５内において、第三方向Ｄ３に間隔を有して対向するように交互に配置されている。信号用内部電極１１及び接地用内部電極１２は、積層型の電気素子の内部電極として通常用いられる導電性材料（例えば、Ｎｉ又はＣｕ等）からなる。信号用内部電極１１及び接地用内部電極１２は、上記導電性材料を含む導電性ペーストの焼結体として構成される。
【００５０】
図５は、図４におけるV-V線に沿う断面図である。図５に示されるように、信号用内部電極１１は、主電極部１１ａと、一対の接続部１１ｂと、を含んでいる。主電極部１１ａと、一対の接続部１１ｂとは、一体的に形成されている。主電極部１１ａは、第一方向Ｄ１を長辺方向とする略長方形状を呈している。
【００５１】
一対の接続部１１ｂは、主電極部１１ａの第一方向Ｄ１の両端、且つ第二方向Ｄ２の中央部分から一対の第一側面５ｂまで延びている。一対の接続部１１ｂの一対の第一側面５ｂ側（主電極部１１ａとは反対側）の端部は、一対の第一側面５ｂに露出している。一対の接続部１１ｂの露出した端部は、一対の信号用端子電極６の電極部分６１に接続されている。信号用内部電極１１は、一対の接続部１１ｂにより、一対の第一側面５ｂに露出している。信号用内部電極１１は、一対の主面５ａ及び一対の第二側面５ｃから離間して配置され、一対の主面５ａ及び一対の第二側面５ｃには露出していない。
【００５２】
図６は、図４におけるVI-VI線に沿う断面図である。図６に示されるように、接地用内部電極１２は、主電極部１２ａと、一対の接続部１２ｂと、を含んでいる。主電極部１２ａと、一対の接続部１２ｂとは、一体的に形成されている。主電極部１２ａは、第一方向Ｄ１を長辺方向とする略長方形状を呈している。
【００５３】
一対の接続部１２ｂは、主電極部１２ａの第二方向Ｄ２の両端、且つ第一方向Ｄ１の中央部分から一対の第二側面５ｃまで延びている。一対の接続部１２ｂの一対の第二側面５ｃ側（主電極部１２ａとは反対側）の端部は、一対の第二側面５ｃに露出している。一対の接続部１２ｂの露出した端部は、一対の接地用端子電極８の電極部分８１に接続されている。接地用内部電極１２は、一対の接続部１２ｂにより、一対の第二側面５ｃに露出している。接地用内部電極１２は、一対の主面５ａ及び一対の第一側面５ｂから離間して配置され、一対の主面５ａ及び一対の第一側面５ｂには露出していない。
【００５４】
以上説明したように、本実施形態に係る実装用基板Ｓでは、電子部品Ｃが実装される実装領域Ｒのうち、外側領域Ｒ２に一対の第一電極２及び一対の第二電極４が配置されている。一対の第一電極２は、内側領域Ｒ１を挟んで第一方向Ｄ１で対向し、一対の第二電極４は、内側領域Ｒ１を挟んで第二方向Ｄ２で対向している。一対の第一電極２が内側領域Ｒ１側に一対の電極部分２２を有し、一対の第二電極４が内側領域Ｒ１側に一対の電極部分４２を有している。電極部分２２の第二方向Ｄ２の長さは、電極部分２１の第二方向Ｄ２の長さＬ６よりも短く、電極部分４２の第一方向Ｄ１の長さは、電極部分４１の第一方向Ｄ１の長さＬ１０よりも短い。このように、電極部分２２の第二方向Ｄ２の長さが長さＬ６と同等であり、電極部分４２の第一方向Ｄ１の長さが長さＬ１０と同等である場合と比べて、電極部分２２と電極部分４２とが互いに逃げ合う形状となっているので、電極部分２２と電極部分４２との間の距離を長く保つことができる。これにより、電極間の短絡を抑制しながら、一対の第一電極２間の距離Ｌ３及び一対の第二電極４間の距離Ｌ４を短くすることができる。この結果、実装強度を向上させることが可能となる。
【００５５】
電極部分２２は、テーパ形状を呈している。このため、電極部分２２において第二電極４と近接する領域は、テーパ形状による傾斜した領域となる。仮に、電極部分２２が矩形状を呈しているとすると、電極部分２２において第二電極４と最も近接する領域は、矩形の角部となる。この場合、角部の狭い領域に電界が集中し易い。これに対して、本実施形態では、電極部分２２がテーパ形状を呈しているので、第二電極４と近接する領域の幅を広げることができる。この結果、電極部分２２において電界が狭い領域に集中することを抑制可能となる。
【００５６】
電極部分２２と同様に電極部分４２も、テーパ形状を呈している。このため、電極部分４２においても、電界が狭い領域に集中することを抑制可能となる。特に、電極部分２２の傾斜した領域と電極部分４２の傾斜した領域とは平行であるため、電極部分２２及び電極部分４２において、電界の集中が抑制され易い。
【００５７】
一対の第一電極２間の距離Ｌ３は、一対の第二電極４間の距離Ｌ４よりも長い。これにより、特に、一対の第一電極２間の短絡を抑制することができる。この結果、特に、一対の第一電極２に接続される一対の信号用端子電極６間の短絡を抑制することができる。
【００５８】
本実施形態に係る実装構造１は、実装用基板Ｓを備えているので、電極間の短絡を抑制しながら、実装強度を向上させることが可能となる。ここで、電子部品Ｃの一方の主面５ａは、実装領域Ｒと対向する対向面であり、一対の電極部分６２（一方の信号用端子電極６における一方の電極部分６２、及び他方の信号用端子電極６における一方の電極部分６２）と、一対の電極部分８２（一方の接地用端子電極８における一方の電極部分８２、及び他方の接地用端子電極８の一方の電極部分８２）と、が配置されている。
【００５９】
電極部分２１の第二方向Ｄ２の長さＬ６は、電極部分６２の第二方向Ｄ２の長さよりも短く、電極部分４１の第一方向Ｄ１の長さＬ１０は、電極部分８２の第一方向Ｄ１の長さよりも短い。このため、電子部品Ｃが正しい実装位置からずれて実装されても、電極部分２１と電子部品Ｃの対向面における電極部分６２との接続部分の第二方向Ｄ２の長さは、電極部分２１の第二方向Ｄ２の長さＬ６に維持される。また、電極部分４１と電子部品Ｃの対向面における電極部分８２との接続部分の第一方向Ｄ１の長さは、電極部分４１の第一方向Ｄ１の長さＬ１０に維持される。これにより、実装強度を安定させることが可能となる。
【００６０】
電極部分６２の第一方向Ｄ１の長さＬ２５は、第一電極２と第二電極４との間の第一方向Ｄ１の距離Ｌ１３よりも短い。このため、電子部品Ｃが正しい実装位置からずれて実装されても、長さＬ２５が距離Ｌ１３以上である場合と比べて、電極部分６２が第一電極２と第二電極４とに第一方向Ｄ１に跨って実装され難い。したがって、電子部品Ｃが正しい実装位置からずれて実装されても、第一電極２と第二電極４との間の短絡を抑制することが可能となる。
【００６１】
以上、本発明の実施形態について説明してきたが、本発明は必ずしも上述した実施形態に限定されるものではなく、その要旨を逸脱しない範囲で様々な変更が可能である。例えば、実施形態では、一対の電極部分２１の第二方向Ｄ２の長さＬ６が電極部分２２の第二方向Ｄ２の長さよりも長いという関係と、一対の電極部分４１の第一方向Ｄ１の長さＬ１０が電極部分４２の第一方向Ｄ１の長さよりも長いという関係との両方が満足されているが、いずれか一方の関係のみが満足されていてもよい。
【００６２】
一対の電極部分２２の第二方向Ｄ２の長さ（ここでは、最大長さ）は、一対の電極部分４２の第一方向Ｄ１の長さ（ここでは、最大長さ）と同等であり、一対の電極部分６２の第二方向Ｄ２の長さ（ここでは、最大長さ）は、一対の電極部分８２の第一方向Ｄ１の長さ（ここでは、最大長さ）と同等であってもよい。この場合、第一方向Ｄ１の応力に対する実装強度と第二方向Ｄ２の応力に対する実装強度とを、バランスよく向上させることができる。
【００６３】
電極部分２２及び電極部分４２は、テーパ形状を呈しているとしたが、電極部分２２の第二方向Ｄ２の長さが、電極部分２１の第二方向Ｄ２の長さＬ６よりも短く、電極部分４２の第一方向Ｄ１の長さが、電極部分４１の第一方向Ｄ１の長さＬ１０よりも短ければよく、電極部分２２及び電極部分４２は、テーパ形状以外に矩形状及び階段状を呈していてもよい。
【００６４】
一対の電極部分２２の第二方向Ｄ２の長さ（ここでは、最大長さ）は、一対の電極部分６２の第二方向Ｄ２の長さ（ここでは、最大長さ）と同等であってもよい。この場合、電極部分２２と電極部分６２との接続部分の面積が大きくなるため、実装強度を向上させることができる。また、一対の電極部分４２の第一方向Ｄ１の長さ（ここでは、最大長さ）は、一対の電極部分４２の第一方向Ｄ１の長さ（ここでは、最大長さ）と同等であってもよい。この場合、電極部分２２と電極部分６２との接続部分の面積が大きくなるため、実装強度を向上させることができる。
【００６５】
電子部品Ｃの他方の主面５ａ（対向面の反対側の面）には、電極部分６２及び電極部分８２が配置されていなくてもよい。
【符号の説明】
【００６６】
１…実装構造、２…第一電極、２１…電極部分、２２…電極部分、４…第二電極、４１…電極部分、４２…電極部分、５…素体、５ａ…主面、６…信号用端子電極、８…接地用端子電極、１０…基板本体、１０ａ…主面、Ｃ…電子部品、Ｓ…実装用基板、Ｒ…実装領域、Ｒ１…内側領域、Ｒ２…外側領域、Ｄ１…第一方向、Ｄ２…第二方向。
【図１】
0006746899.tif 000002
【図２】
0006746899.tif 000003
【図３】
0006746899.tif 000004
【図４】
0006746899.tif 000005
【図５】
0006746899.tif 000006
【図６】
0006746899.tif 000007